(57)【要約】【課題】  大きな減圧吸収能力を維持した構成で、充填ライン上を安全に滑走移動することを可能とし、もって充填作業の効率アップと、安全な取扱い状態を得ることができるようにすることを目的とする。【解決手段】  円筒ボトルの胴部３の、上下両端部の短円筒状をした円筒部分５を除く残部全体を、四つの平坦な減圧吸収壁６と、円筒部分５の筒壁の一部をそのまま縦に延長させた構造の四つの柱壁８とを周方向に沿って交互に位置させて、角取りした直角四角筒状の四角筒部分４に構成することにより、面積の大きい減圧吸収壁６を得ると共に、円筒ボトルと同等の底部１１を得、さらに胴部３をスリムとして、良好な取扱い性を得る。【選択図】図１
2006182438.tif 000002
【特許請求の範囲】
【請求項１】
下端に底部（１１）を連設すると共に、上端に円錐台筒状の肩部（２）を介して短円筒状の口筒部（１）を連設した胴部（３）を、上下両端部の短円筒状の円筒部分（５）と、角取りした直角四角筒状の四角筒部分（４）とで構成し、該四角筒部分（４）を、四つの平坦な減圧吸収壁（６）と、前記円筒部分（５）の筒壁の一部をそのまま縦に延長させた構造の四つの柱壁（８）とから構成した合成樹脂製ボトル容器。
【請求項２】
四角筒部分（４）を、正四角筒形状にした請求項１記載の合成樹脂製ボトル容器。
【請求項３】
各減圧吸収壁（６）を、周段差（９）を介して陥没設した請求項１または２記載の合成樹脂製ボトル容器。
【請求項４】
各減圧吸収壁（６）の上下両端部を、端縁に近づくに従って外側に湾曲する湾曲段差面（７）とした請求項１、２または３記載の合成樹脂製ボトル容器。
【請求項５】
円筒部分（５）に、周溝状の周リブ（１０）を設けた請求項１、２、３または４記載の合成樹脂製ボトル容器。
【発明の詳細な説明】
【技術分野】
【０００１】
本発明は、減圧吸収機能を有する合成樹脂製ボトル容器に関するものである。
【背景技術】
【０００２】
減圧吸収機能を有するペットボトル等の合成樹脂製ボトル容器として、高い減圧吸収力を無理なく発揮することのできる大きな平坦壁を簡単に得ることのできる、四角筒ボトル容器が知られている。
【特許文献１】特開平１１−３４８９５４号公報
【０００３】
この特許文献１に示された従来技術は、角取りした正四角筒形状をした胴部の下端を、連設した底部で閉鎖すると共に、胴部の上端に、上方に縮径するテーパ筒状の肩部を介して口筒部を連設して構成されており、胴部の各平坦壁部分全体を減圧吸収壁として機能させることにより、大きな減圧吸収能力を発揮し、また角取りした壁部分を柱として機能させることにより、必要とする座屈強度を発揮することができるものとなっている。
【発明の開示】
【発明が解決しようとする課題】
【０００４】
しかしながら、上記した従来技術にあっては、円筒ボトル容器と比較して、充填ライン上で転倒、ブロッキングを起こす割合が高く、円筒ボトル容器の場合に比べて、充填作業の効率が低くなる、と云う問題があった。
【０００５】
また、冷却されていたボトル容器を取扱うに際して、結露等によりボトル容器の表面が濡れていると滑り易く、このため取扱い中にボトル容器を滑り落とす恐れがある、と云う問題があった。
【０００６】
そこで、本発明は、上記した従来技術における問題点を解消すべく創案されたもので、大きな減圧吸収能力を維持した構成で、充填ライン上を安全に滑走移動することを技術的課題とし、もって充填作業の効率アップと、安全な取扱い状態を得ることができるようにすることを目的とする。
【課題を解決するための手段】
【０００７】
上記技術的課題を解決する本発明の内、請求項１記載の発明の手段は、
下端に底部を連設すると共に、上端に円錐台筒状の肩部を介して短円筒状の口筒部を連設した胴部を有すること、
この胴部を、上下両端部の短円筒状の円筒部分と、角取りした直角四角筒状の四角筒部分とで構成すること、
この四角筒部分を、四つの平坦な減圧吸収壁と、円筒部分の筒壁の一部をそのまま縦に延長させた構造の四つの柱壁とから構成すること、
にある。
【０００８】
この請求項１記載の発明にあっては、胴部の四角筒部分の各減圧吸収壁は、上下両端部を円筒部分とした円筒体の一部を、略全高さ範囲に亘って、平坦面に沿って切除した形態で形成されているので、その大部分を平坦壁構造とすることができ、これにより大きな減圧吸収能力を発揮することになる。
【０００９】
胴部の四角筒部分の柱壁は、上下の円筒部分の筒壁の一部を縦に延長させて形成したものとなっているので、上下の円筒部分と直線状に連結する構造となり、これにより柱として好適に機能することになる。
【００１０】
底部は、胴部の下端部を構成する円筒部分に連続して構成されるので、円筒ボトル容器の底部と同じ構造となり、このため充填ライン上での滑走移動の際に、搬送面との間の引っ掛かりの発生が殆どないものとなる。
【００１１】
胴部の四角筒部分の対向した減圧吸収壁部分における幅の値は、上下の円筒部分の外径に比べて小さいので、胴部は、四角筒部分の減圧吸収壁部分で、その太さが細くなり、その分、手のひらによる掴持が楽となる
【００１２】
請求項２記載の発明は、請求項１記載の発明の構成に、胴部の四角筒部分を、正四角筒形状にした、ことを加えたものである。
【００１３】
この請求項２記載の発明にあっては、各減圧吸収壁の大きさが等しくなるので、各減圧吸収壁を等しく減圧吸収変形させることになり、また二つの対向減圧吸収壁部分における幅が等しいので、ボトル容器に限定された方向性を現出させることがない。
【００１４】
請求項３記載の発明は、請求項１または２記載の発明の構成に、四角筒部分の各減圧吸収壁を、周段差を介して陥没設した、ことを加えたものである。
【００１５】
この請求項３記載の発明にあっては、外力に対して、周段差が補強リブとして機能することになるので、この周段差に近接する柱壁および円筒部分の機械的強度が高くなる。
【００１６】
請求項４記載の発明は、請求項１、２または３記載の発明の構成に、各減圧吸収壁の上下両端部を、端縁に近づくに従って外側に湾曲する湾曲段差面とした、ことを加えたものである。
【００１７】
この請求項４記載の発明にあっては、上側の湾曲段差面が、各減圧吸収壁の主体部分に対して出っ張り部分を形成することになるので、これにより減圧吸収壁部分を掴持している手の指先は、この上側の湾曲段差面に下方から引っ掛かり易いことになる。
【００１８】
請求項５記載の発明は、請求項１、２、３または４記載の発明の構成に、胴部の円筒部分に、周溝状の周リブを設けた、ことを加えたものである。
【００１９】
この請求項５記載の発明にあっては、充填ライン上で隣接するボトル容器と押圧接触する円筒部分の機械的強度を、この周リブにより充分に高めることになる。
【発明の効果】
【００２０】
本発明は、上記した構成となっているので、以下に示す効果を奏する。
請求項１記載の発明にあっては、胴部の殆どの部分を四角筒形状とすることができるので、従来の四角筒状のボトル容器と同等の大きな減圧吸収壁を得ることができ、これにより大きな減圧吸収能力を発揮することができる。
【００２１】
胴部の四角筒部分の柱壁は、柱として好適に機能するので、胴部に強い座屈強度を付与することができ、座屈強度の高いボトル容器を提供することができる。
【００２２】
ボトル容器の底部が、充填ラインの搬送面との間で引っ掛かりの発生が殆どないものとなるので、充填ラインでの安全な滑走搬送と、効率の良い搬送とを得ることができる。
【００２３】
手のひらによる胴部の胴部の掴持が楽であるので、ボトル容器の手に持っての取扱いが行い易いものとなる。
【００２４】
請求項２記載の発明にあっては、各減圧吸収壁が略等しく減圧吸収変形するので、ボトル容器全体の減圧吸収変形が歪となることがなく、これにより減圧吸収変形がボトル容器の外観体裁を劣化させる恐れがなく、またボトル容器に特定される方向性を現出させることがないので、ボトル容器の取扱いがきわめて容易となる。
【００２５】
請求項３記載の発明にあっては、減圧吸収壁の周囲部分の機械的強度が高められて、妄りに変形することがないので、減圧吸収壁を円滑に減圧吸収変形させることができ、これにより安定して確実な減圧吸収動作を得ることができる。
【００２６】
請求項４記載の発明にあっては、上側の湾曲段差面が、掴持している手の指先に対して引っ掛かり部を提供するので、ボトル容器の滑り落としを殆ど無くすことができ、ボトルの安全な取扱いを得ることができる。
【００２７】
請求項５記載の発明にあっては、胴部の円筒部分の機械的強度を高めることができるので、ボトル容器の安全で効率の良い搬送取扱いを得ることができる。
【発明を実施するための最良の形態】
【００２８】
以下、本発明の実施形態を、図面を参照しながら説明する。
【００２９】
図１は、本発明によるボトル容器の一実施形態例を示す、一つの減圧吸収壁６を正面から見た全体正面図で、ボトル容器は、基本的には円筒形状をした胴部３の下端に底部１１を連設すると共に、胴部３の上端に、円錐台筒形状をした肩部２を介して、外周面に螺条とストップリングとネックリングを上から順に設けた短円筒状の口筒部１を連設して構成されている。
【００３０】
このように、ボトル容器は、基本的に円筒形状である胴部３の上下に、口筒部１を有する肩部２と底部１１を連設して構成されたものであるので、その全体の平面形状は、図２に示すように円形となり、円筒ボトル容器と同じ平面形状となっている。
【００３１】
胴部３は、上下両端部である両円筒部分５と、この両円筒部分５を除く残りの全部である四角筒部分４とから構成されており、上側の円筒部分５には、周溝状の周リブ１０が設けられており、下側の円筒部分５には、周リブ１０の外に細い周溝が設けられており、各円筒部分５に周リブ１０を設けることにより、この円筒部分５の外力に対する抗力を構造的に高めている。
【００３２】
胴部３の四角筒部分４は、上下両端部を、端部に近づくに従って外側に湾曲する湾曲段差面７とし、残部を平坦面とした四つの減圧吸収壁６と、上下の円筒部分５の筒壁の一部をそのまま縦に延長させて形成された四つの柱壁８とを、周方向に沿って交互に配置して、柱壁８部分を角取りした角部とする正四角筒形状（図３参照）をしている。
【００３３】
この四角筒部分４の各減圧吸収壁６には、閉ループ線模様を描く、同じ形態の屈曲溝線が形成されており、この屈曲溝線により、各減圧吸収壁６は、等しい程度にかつ等しい形態で減圧吸収変形し、これにより減圧吸収壁６に発生する減圧吸収変形が、ボトル容器の外観体裁を不体裁にしないようにしている。
【００３４】
また、上側の湾曲段差面７は、下方に位置する減圧吸収壁６の平坦な主体部分に対して、大きく外側に出っ張って位置する（図１参照）ことになるので、減圧吸収壁６の主体部分を掴持している手とボトル容器との間に、濡れ等の原因により滑りが発生したとしても、ボトル容器が手から滑り落ちる前に、上側の湾曲段差面７が、ボトル容器を掴持している手の指に引っ掛かるので、ボトル容器が妄りに滑り落ちるのを、効果的に防止することになる。
【００３５】
さらに、四角筒部分４の減圧吸収壁６が対向している部分の横幅は、円筒部分５の外径よりも充分に小さいので、胴部３のこの部分はスリムとなっており、それゆえ手による胴部３の掴持が行い易いものとなっている。
【００３６】
各減圧吸収壁６の周端縁には、立ち上がり段部を形成する周段差９が設けられており、この周段差９を設けることにより、減圧吸収壁６に隣接する柱壁８部分や円筒部分５部分は、この周段差９が補強リブとなって機械的に補強され、これにより作用した外力に対して変形し難いものとなり、このため各減圧吸収壁６は、周囲を不動に保持された状態で減圧吸収変形（陥没変形となる）するので、その変形動作は、常に一定して安定した状態で達成されることになる。
【００３７】
なお、胴部３の下側の円筒部分５の下端に連設された底部１１は、通常の合成樹脂製の円筒ボトル容器の底部と同様に、その中央部分が内方にドーム状に湾曲陥没した構造となっていて、内容液を熱充填した際に、落ち込みが発生しないようにしている。
【図面の簡単な説明】
【００３８】
【図１】本発明の一実施形態例を示す、全体側面図である。
【図２】図１に示した実施形態例の、平面図である。
【図３】図１に示した実施形態例の、胴部平断面図である。
【符号の説明】
【００３９】
１  ；  口筒部
２  ；  肩部
３  ；  胴部
４  ；  四角筒部分
５  ；  円筒部分
６  ；  減圧吸収壁
７  ；  湾曲段差面
８  ；  柱壁
９  ；  周段差
１０；  周リブ
１１；  底部
【図１】
2006182438.tif 000003
【図２】
2006182438.tif 000004
【図３】
2006182438.tif 000005